(57)【要約】      （修正有）【課題】高さ調整可能に被支持体を支持する支持装置において、経時的に劣化しやすい部分をなくすと共に、その部品点数をできるだけ減少できるようにする。【解決手段】被支持体Ｍを支持体に対しレベル調整可能に支持する支持装置である。支持体及び被支持体Ｍのいずれか一方側に取り付けられる第一部材１と、これらの他方側に取り付けられる第二部材２とを備えている。第一部材１は、掛合ピン１０を備えると共に、この掛合ピン１０が仮想の基準垂直線上の掛合位置から側方に外れる向きに移動されたときにこれを前記掛合位置に弾発押し戻す保持手段１１を備えており、第二部材２は、前記基準垂直線上に掛合ピン１０の掛合部２１１を多段に備えると共に、上下に隣り合う掛合部２１１間にそれぞれ前記掛合ピン１０の側方案内部２１２を備えている。【選択図】図１
2008232194.tif 000002
【特許請求の範囲】
【請求項１】
被支持体を支持体に対しレベル調整可能に支持する支持装置であって、
支持体及び被支持体のいずれか一方側に取り付けられる第一部材と、
これらの他方側に取り付けられる第二部材とを備えており、
第一部材は、掛合ピンを備えると共に、この掛合ピンが仮想の基準垂直線上の掛合位置から側方に外れる向きに移動されたときにこれを前記掛合位置に弾発押し戻す保持手段を備えており、
第二部材は、前記基準垂直線上に掛合ピンの掛合部を多段に備えると共に、上下に隣り合う掛合部間にそれぞれ前記掛合ピンの側方案内部を備えていることを特徴とする支持装置。
【請求項２】
第一部材は、基準垂直線上に位置される水平軸を中心に回動される回動パーツを備えており、この回動パーツに掛合ピンが備えられていることを特徴とする請求項１記載の支持装置。
【請求項３】
保持手段は、回動パーツにおける水平軸を挟んだ掛合ピン側の端部と反対の端部側を保持する弾性片であることを特徴とする請求項２記載の支持装置。
【請求項４】
第二部材は、中央カム部とこの中央カム部を周回するガイド経路とを備えており、
中央カム部は、基準垂直線を挟んだ一方側に掛合部と側方案内部とを備えていると共に、
第二部材は、最下段の掛合部との掛合を解かれた掛合ピンを基準垂直線を挟んだ他方側に案内する下部案内部と、
基準垂直線を挟んだ他方側を通ってガイド経路の上端に至った掛合ピンを最上段の掛合部に案内する上部案内部とを備えていることを特徴とする請求項１〜請求項３のいずれか１項に記載の支持装置。
【請求項５】
第二部材は、ガイド経路に連通して掛合ピンを外方から導入可能とする導入路を備えていることを特徴とする請求項４記載の支持装置。
【発明の詳細な説明】
【技術分野】
【０００１】
この発明は、被支持体を支持体に対しレベル調整、すなわち高さ調整可能に支持するために用いられる支持装置の改良に関する。
【背景技術】
【０００２】
事務用椅子の一方の構成部品を他方の構成部品に対して調整するための装置として、これらいずれか一方の構成部品に備えられるガイド経路と、他方の構成部品に備えられるラッチング要素からなる調整装置がある。（特許文献１参照）しかし、この装置では調整時には蛇行したガイド経路内をラッチングピンがぎくしゃくと移動されることとなるため、その調整操作には慣れを必要とさせるものであった。
【０００３】
また、移動板に上下方向に多段状に設けられた位置決め溝のいずれか一つに、固定板に回動可能に設けられたストッパに備えられたガイドピンがバネの弾性力により掛合するようにした調整機構付き机がある。（特許文献２）しかし、この机にあっては、ガイドピンが位置決め溝に掛合されるようにストッパをバネによって常時付勢させているため、バネには相応の耐久力が必要であり、したがってまた、このバネとしては金属製のバネを選択せざるを得なくさせるものであった。
【特許文献１】特表２００３−５２７９１１号公報
【特許文献２】特開２０００−３７２３４号公報
【発明の開示】
【発明が解決しようとする課題】
【０００４】
この発明が解決しようとする主たる問題点は、この種の高さ調整可能に被支持体を支持する支持装置において、経時的に劣化しやすい部分をなくすと共に、その部品点数をできるだけ減少できるようにする点にある。
【課題を解決するための手段】
【０００５】
前記課題を達成するために、この発明にあつては、支持装置を、以下の（１）〜（５）の構成を備えたものとした。
（１）被支持体を支持体に対しレベル調整可能に支持する支持装置であって、
（２）支持体及び被支持体のいずれか一方側に取り付けられる第一部材と、
（３）これらの他方側に取り付けられる第二部材とを備えており、
（４）第一部材は、掛合ピンを備えると共に、この掛合ピンが仮想の基準垂直線上の掛合位置から側方に外れる向きに移動されたときにこれを前記掛合位置に弾発押し戻す保持手段を備えており、
（５）第二部材は、前記基準垂直線上に掛合ピンの掛合部を多段に備えると共に、上下に隣り合う掛合部間にそれぞれ前記掛合ピンの側方案内部を備えている。
【０００６】
掛合ピンを多段に備えられた掛合部のいずれかに掛合させることにより支持装置を介して被支持体は支持体に支持される。この支持状態から掛合ピンと掛合部との掛合を解く向きに被支持体を移動させると、掛合ピンは保持手段に弾発力を蓄えさせながら側方案内部に案内されて一旦側方に移動された後、保持手段の弾発によって基準垂直線上に押し戻されて次順位の掛合部に入り込みその掛合部に掛合する。これにより、被支持装置の高さ調整が可能となる。掛合部は基準垂直線上にあり、かつ、保持手段は掛合ピンが基準垂直線上から側方に外れる向きに移動したときにこれを弾発押し戻すことから、いずれかの掛合部に掛合ピンを掛合させた被支持体の支持状態においては保持手段には弾発力を蓄勢させないようにすることができる。
【０００７】
前記第一部材は、基準垂直線上に位置される水平軸を中心に回動される回動パーツを備えており、この回動パーツに掛合ピンを備えさせておくこともある。このようにした場合、掛合位置において掛合ピンと水平軸は被支持体の荷重方向に沿う基準垂直線上に上下に間隔を開けて位置されることから、被支持体の荷重をもっとも合理的に受け止めることができると共に、この掛合位置にある掛合ピンの姿勢を安定的に維持させることができる。
【０００８】
前記保持手段を、回動パーツにおける水平軸を挟んだ掛合ピン側の端部と反対の端部側を保持する弾性片によって構成させておくこともある。このようにした場合、かかる弾性片によって掛合ピンを前記基準垂直線上に位置づけさせることができ、また、この掛合ピンを前記基準垂直線上から側方に外れさせる回動パーツの回動を、弾性片の変形によって許容させることができるようになっている。弾性片は掛合ピンが前記基準垂直線上から側方に外れたときに弾性変形され、その後の弾性復帰によって掛合ピンを前記基準垂直線上に位置づけさせる。すなわち、弾性片は掛合ピンを前記掛合部に掛合させている被支持体の支持状態においては変形されておらず、常時こうした変形が加えられていないので経時的に劣化し難い。また、弾性片はプラスチック成形により第一部材に一体に設けさせることができ、部品点数を徒に増加させないようにすることができる。
【０００９】
前記第二部材は、中央カム部とこの中央カム部を周回するガイド経路とを備えており、
中央カム部は、基準垂直線を挟んだ一方側に掛合部と側方案内部とを備えていると共に、
第二部材は、最下段の掛合部との掛合を解かれた掛合ピンを基準垂直線を挟んだ他方側に案内する下部案内部と、
基準垂直線を挟んだ他方側を通ってガイド経路の上端に至った掛合ピンを最上段の掛合部に案内する上部案内部とを備えたものとしておくこともある。
このようにした場合、最下段の掛合部に掛合ピンを掛合させて被支持体を支持させた状態から、この掛合を解き、再び最上段の掛合部に掛合ピンを掛合させて被支持体を支持させた状態を作り出すことができる。
【００１０】
前記第二部材に、ガイド経路に連通して掛合ピンを外方から導入可能とする導入路を備えさせておくこともある。このようにした場合、かかる導入路を利用して第二部材のガイド経路内に第一部材の掛合ピンを入れ込ませて両部材を他方の部材に対してスライド移動可能に組み合わせることができる。
【発明の効果】
【００１１】
この発明によれば、支持体及び被支持体のいずれか一方側に取り付けられる第一部材に備えられる掛合ピンを基準垂直線上から外れたときに保持手段によって押し戻すようにすると共に、これらの他方側に取り付けられる第二部材にこの掛合ピンの掛合部を多段に備えさせていることから、掛合ピンが掛合部のいずれかに掛合されている状態では保持手段に弾発力は蓄えられないようにすることができ、このような弾発力を作用させる構成部分を経時的に劣化し難くすることができる。この結果、かかる保持手段をプラスチック材料により構成することにも支障がなく、そうした場合は第一部材に保持手段を容易に一体に備えさせることもできることから、全体の構成部品点数をできるだけ減少させることができる。
【発明を実施するための最良の形態】
【００１２】
以下、図１〜図９に基づいて、この発明を実施するための最良の形態について説明する。
【００１３】
なお、ここで図１は、実施の形態にかかる支持装置を天板Ｍａの支持に用いた構成例においてこの天板Ｍａを支える支柱体Ｍｂと支持体Ｂ側に取り付けられる第一部材１とを分離させた状態として、また、図２および図３はかかる構成例の要部を断面にして、それぞれ示している。また、図４は支持装置を構成する第一部材１を、また、図５は第二部材２を示しており、図６は図５と反対の側からかかる第二部材２を見て示している。図７〜図９は、支持装置の動作を理解しやすいように第二部材２の中央カム部２１とガイド経路２２の輪郭を実線で表すと共に第一部材１の掛合ピン１０と回動パーツ１４と保持手段１１の輪郭を想像線で表して示しており、図７は第二部材２の下から二番目の掛合部２１１に掛合ピン１０が掛合された様子を、図８は図７の状態から被支持体Ｍつまり第二部材２側を上方に持ち上げ第二部材２の下から二番目の掛合部２１１と掛合ピン１０との掛合を解いた様子を、図９は第二部材２の最下段の掛合部２１１との掛合を解かれて掛合ピン１０が中央カム部２１のストレート部２１３に案内をされている様子を、それぞれ示している。
【００１４】
この実施の形態にかかる支持装置は、被支持体Ｍを支持体Ｂに対しレベル調整、すなわち高さ調整可能に支持するために用いられるものである。かかる被支持体Ｍを備えた機器や什器などの本体が支持体Ｂとされる。例えば、被支持体Ｍが天板である場合にはこの天板Ｍａを備えた家具（机やワゴンなど）の本体が支持体Ｂとなり、被支持体Ｍが背もたれや肘掛けである場合にはこの背もたれや肘掛けを備えた椅子の本体が支持体Ｂとなる。
【００１５】
かかる支持装置は、第一部材１と第二部材２とを備え、両者の一方に対し他方を上下方向にスライド移動又は相対的にスライド移動可能に組み合わせて構成されている。天板を支持するような場合には、典型的には、かかる支持装置はかかる天板の二箇所以上の支持部分のそれぞれに備えられる。
【００１６】
第一部材１は、前記支持体Ｂ及び被支持体Ｍのいずれか一方側に取り付けられるものである。また、かかる第一部材１は、掛合ピン１０を備えると共に、この掛合ピン１０が仮想の基準垂直線ｘ上の掛合位置から側方に外れる向きに移動されたときに（図８や図９の位置）これを前記掛合位置（図７の位置）に弾発押し戻す保持手段１１を備えている。
【００１７】
図示の例では、第一部材１を前記支持体Ｂに取り付けられるものとしている。図示の例では、第一部材１は支持体Ｂを構成する二枚のパネルＢａ、Ｂａ内にその左右においてそれぞれ上下二箇所でネジ止めされて取り付けられ内蔵されるようになっている。（図３）
【００１８】
第一部材１は、上下に長い略長方形の板状をなす主体部１２と、この主体部１２の上下方向に沿った両縁部にそれぞれ形成されたレール部１３とを備えている。レール部１３はそれぞれ主体部１２の一面側１２１に形成されている。レール部１３は前記縁部から一体に突き出す立ち上がり部１３１とこの立ち上がり部１３１の突き出し端から他方のレール部１３側に向けて突き出す屈曲部１３２とを備えている。そして図示の例では、第二部材２が備えられる上下に長い板状をなす支柱体Ｍｂを左右のレール部１３の立ち上がり部１３１の間に、この支柱体Ｍｂの縁部を主体部１２の一面と屈曲部１３２とで挟むようにして、納めることで第一部材１に対して第二部材２が上下方向にスライド移動可能な状態で組み合わされている。支柱体Ｍｂの上端には被支持体Ｍ、図示の例では天板Ｍａが取り付けられている。図示の例ではかかる天板Ｍａを持ち上げる操作をすることで支柱体Ｍｂ及び第二部材２は上方に移動され移動後の位置での前記掛合ピン１０の掛合によって天板Ｍａはこの移動後の位置で支えられるようになっている。そして、天板Ｍａを最高支持位置を越えて上方に移動させると掛合ピン１０の掛合が解除されて天板Ｍａの下方への自由な移動が許容され、この後天板Ｍａが下方に移動されきった状態からやや上方に天板Ｍａを持ち上げ操作すると掛合ピン１０の再掛合によって天板Ｍａを最低支持位置に支持するようになっている。
【００１９】
前記仮想の基準垂直線ｘは主体部１２の幅方向略中程の位置を通るようになっている。掛合ピン１０は主体部１２の下部側にあってこの基準垂直線ｘの一方側及び他方側への移動を可能とした状態で主体部１２に備えられている。
【００２０】
図示の例ではかかる掛合ピン１０は、基準垂直線ｘ上に位置される水平軸１２４ａを中心に回動される回動パーツ１４に備えられている。これにより図示の例では、掛合位置において掛合ピン１０と水平軸１２４ａは被支持体Ｍの荷重方向に沿う基準垂直線ｘ上に上下に間隔を開けて位置されることから、被支持体Ｍの荷重をもっとも合理的に受け止めることができると共に、この掛合位置にある掛合ピン１０の姿勢は安定的に維持される。
【００２１】
また、図示の例では、前記保持手段１１は、かかる回動パーツ１４における水平軸１２４ａを挟んだ掛合ピン１０側の端部と反対の端部側を保持する弾性片１１１によって構成されている。
【００２２】
具体的には、図示の例にあっては、回動パーツ１４は、上下方向略中程の位置において主体部１２に水平軸１２４ａをもって回動可能に支持された細長い板体として構成されている。図示の例では、主体部１２には上下に長い窓穴１２３が形成されている。この窓穴１２３は仕切り板１２４によって上下に区分されている、仕切り板１２４の下の空間は上の空間よりも著しく上下寸法が小さくなっている。主体部１２の一面側１２１において仕切り板１２４に円柱突起状をなす水平軸１２４ａが形成されており、一方、回動パーツ１４の上下方向略中程の位置にはこの水平軸１２４ａの軸穴１４１が形成されている。図示の例では、仕切り板１２４の水平軸１２４ａを挟んだ左右両側に、回動パーツ１４の軸穴１４１に水平軸１２４ａを通しきったときにこの回動パーツ１４の左右両側に弾発掛合する掛合爪１２４ｂが備えられており、この掛合爪１２４ｂによってワンタッチで主体部１２に対して回動パーツ１４を組み合わせることができるようになっている。図中、符号１５で示すのは、このように主体部１２に回動パーツ１４を組み合わせた後に仕切り板１２４の一面に取り付けられて掛合爪１２４ｂの前記掛合を解く向きの弾性変形を抑止するカバーである。掛合ピン１０は回動パーツ１４の仕切り板１２４の下の空間に位置される下端１４２に備えられ主体部１２の一面に直交する向きに突き出している。仕切り板１２４の下の空間における仕切り板１２４の下縁に向けられた窓縁部１２３ａは、水平軸１２４ａを中心とした仮想の円の円弧に沿うように構成されており、図示の例では回動パーツ１４の下端に取り付けられた端部カバー１４４が主体部１２の他面側においてこの窓縁部１２３ａに摺接するようになっている。
【００２３】
保持手段１１を構成する弾性片１１１は、仕切り板１２４の上の空間における仕切り板１２４の上縁に向けられた窓縁部１２３ｂに片上端１１１ａを一体に連接させて下方に延びるように構成されている。弾性片１１１は左右にそれぞれ設けられている。左右の弾性片１１１の片下端にはそれぞれ、回動パーツ１４の上端１４３側の上下方向に沿った縁部に対する当接部１１１ｂが形成されている。そして、左右の弾性片１１１は、両弾性片１１１、１１１の当接部１１１ｂ間に、回動パーツ１４の幅寸法（左右寸法）に略等しい間隔が形成させるようにして、仕切り板１２４の上の空間内に配されている。弾性片１１１の片上端１１１ａと当接部１１１ｂとの間は下方に向かうに連れて次第に他方の弾性片１１１側に近づく向きに傾斜状に延びる腕部１１１ｃとなっている。また、左右の弾性片１１１の一方の片下端には主体部１２の一面側１２１から回動パーツ１４のこの側にある面に接する保持板部１１１ｄが備えられていると共に、左右の弾性片１１１の他方の片下端には主体部１２の他面側１２２から回動パーツ１４のこの側にある面に接する保持板部１１１ｄが備えられている。（図４）
【００２４】
これによりこの例にあっては、かかる弾性片１１１によって掛合ピン１０を前記基準垂直線ｘ上に位置づけさせることができ、また、この掛合ピン１０を前記基準垂直線ｘ上から側方に外れさせる回動パーツ１４の回動を、弾性片１１１の変形によって許容させることができるようになっている。弾性片１１１は掛合ピン１０が前記基準垂直線ｘ上から側方に外れたときに弾性変形され、その後の弾性復帰によって掛合ピン１０を前記基準垂直線ｘ上に位置づけさせる。すなわち、弾性片１１１は掛合ピン１０を前記掛合部２１１に掛合させている被支持体Ｍの支持状態においては変形されておらず、常時こうした変形が加えられていないので経時的に劣化し難い。
【００２５】
図示の例とは別に、片上端１１１ａを前記仕切り板１２４の上の空間における仕切り板１２４の上縁に向けられた窓縁部１２３ｂに一体に連接させて下方に延びる単一の弾性片の片下端に掛合ピン１０を設け、この弾性片の変形によって前記基準垂直線ｘ上から側方に外れる掛合ピン１０の移動を許容するようにしておくこともできる。
【００２６】
第二部材２は、前記基準垂直線ｘ上に掛合ピン１０の掛合部２１１を多段に備えると共に、上下に隣り合う掛合部２１１間にそれぞれ前記掛合ピン１０の側方案内部２１２を備えている。
【００２７】
図示の例では、かかる第二部材２は、前記被支持体Ｍ側、すなわち、前記支柱体Ｍｂに取り付けられるものとなっている。図示の例では、第一部材１に前記のように組み合わされる支柱体Ｍｂにおける第一部材１の主体部１２の一面側１２１に向けられる側であって、その長さ方向略中程の位置からその下端までの間には、支柱体Ｍｂの内外を連通させる縦方向に長いスロットＭｄが形成されており、支柱体Ｍｂ内に納められ組み付けられた第二部材２の後述する中央カム部２１とガイド経路２２がこのスロットＭｄ内に位置されるようになっている。
【００２８】
図示の例では、第二部材２は、上下方向に長い略長方形の基板２０の一面に、前記掛合部２１１と側方案内部２１２とを備えた中央カム部２１と、ガイド経路２２とを備えさせてなる。
【００２９】
中央カム部２１は基板２０の一面の幅方向略中程の位置において上下方向に長く続く隆起部として構成されている。この中央カム部２１の周囲にはガイド経路２２が形成されている。図示の例では、中央カム部２１の周囲に中央カム部２１との間に間隔を開けてリブ状部２２１を形成させており、このリブ状部２２１と中央カム部２１との間が前記ガイド経路２２として機能するようになっている。
【００３０】
そして、かかる中央カム部２１は、前記基準垂直線ｘを挟んだ一方側に掛合部２１１と側方案内部２１２とを備えている。
【００３１】
図示の例では、掛合部２１１は上下方向に隣り合う掛合部２１１との間に略等しい間隔を開けて５箇所設けられている。各掛合部２１１はいずれも下方において開放されて上方に向けて窪んだ弧状凹所２１１ａとして構成されている。側方案内部２１２は隣り合う掛合部２１１のうち上方に位置される掛合部２１１の弧状凹所２１１ａの内端２１１ｂ（基準垂直線ｘ側）から下方に向けて次第に前記基準垂直線ｘから離れる向きに延びて下方に位置される掛合部２１１の弧状凹所２１１ａの外端２１１ｃに続き、この外端２１１ｃとの間を頂部２１２ａとするように形成されている。これにより中央カム部２１の基準垂直線ｘを挟んだ一方側は、上方に側方案内部２１２を下方に弧状凹所２１１ａを向けた上下方向に続く鋸歯状をなすように構成されている。
【００３２】
そして、前記のように第一部材１に支柱体Ｍｂを組み合わせた状態において、掛合ピン１０が掛合部２１１に掛合され、また、側方案内部２１２に案内されるようになっている。
【００３３】
掛合ピン１０を多段に備えられた掛合部２１１のいずれかに掛合させることにより支持装置を介して被支持体Ｍは支持体Ｂに支持される。（図７）この支持状態から掛合ピン１０と掛合部２１１との掛合を解く向きに被支持体Ｍを移動させると、掛合ピン１０は保持手段１１に弾発力を蓄えさせながら側方案内部２１２に案内されて一旦側方に移動された後、（図８）保持手段１１の弾発によって基準垂直線ｘ上に押し戻されて次順位の掛合部２１１に入り込みその掛合部２１１に掛合する。これにより、被支持装置の高さ調整が可能となる。掛合部２１１は基準垂直線ｘ上にあり、かつ、保持手段１１は掛合ピン１０が基準垂直線ｘ上から側方に外れる向きに移動したときにこれを弾発押し戻すことから、いずれかの掛合部２１１に掛合ピン１０を掛合させた被支持体Ｍの支持状態においては保持手段１１には弾発力を蓄勢させないようにすることができる。
【００３４】
図示の例では、最上段の掛合部２１１に掛合ピン１０を掛合させた状態から、被支持体Ｍ側を持ち上げ操作すると最上段の掛合部２１１と上から二段目の掛合部２１１との間に形成された側方案内部２１２に掛合ピン１０が案内されて左右一対の弾性片１１１の一方を弾性変形させながら回動パーツ１４が回動され、この掛合ピン１０がこの側方案内部２１２の下端すなわち前記頂部２１２ａを乗り越える位置まで被支持体Ｍ側が持ち上げられると弾性片１１１の弾発により回動パーツ１４が押し戻されて掛合ピン１０は上から二段目の掛合部２１１に入り込み掛合されるようになっている。同様の操作により、上から二段目の掛合部２１１と掛合ピン１０との掛合を解いて掛合ピン１０を上から三段目の掛合部２１１に掛合させ、また、上から三段目の掛合部２１１と掛合ピン１０との掛合を解いて掛合ピン１０を上から四段目の掛合部２１１に掛合させ、また、上から四段目の掛合部２１１と掛合ピン１０との掛合を解いて掛合ピン１０を最下段の掛合部２１１に掛合させることができるようになっている。被支持体Ｍのレベルは掛合ピン１０を最上段の掛合部２１１に掛合させたときに最も低く、最下段の掛合部２１１に掛合させたときに最も高くなる。
【００３５】
また、図示の例では、第二部材２は、最下段の掛合部２１１との掛合を解かれた掛合ピン１０を基準垂直線ｘを挟んだ他方側に案内する下部案内部２３と、
基準垂直線ｘを挟んだ他方側を通ってガイド経路２２の上端に至った掛合ピン１０を最上段の掛合部２１１に案内する上部案内部２４とを備えている。
【００３６】
下部案内部２３は、最下段の掛合部２１１の弧状凹所２１１ａの内端２１１ｂから下方に向かうに連れて次第に基準垂直線ｘから離れる向きに続くリブ状をなす中央カム部２１の下端部分２１４と、基準垂直線ｘを挟んだ一方側においてこの下端部分２１４から下方に抜け外れた掛合ピン１０を中央カム部２１における基準垂直線ｘを挟んだ他方側に案内するガイド経路２２の下部レール部２２２とから構成されている。図示の例では中央カム部２１における基準垂直線ｘを挟んだ他方側は鉛直方向に沿ったストレート部２１３となっており、下部レール部２２２によって中央カム部２１の下端部分２１４における基準垂直線ｘを挟んだ他方側に掛合ピン１０を入り込ませる位置まで被支持体Ｍが持ち上げ操作されると、左右一対の弾性片１１１の一方の弾発によって掛合ピン１０はこの他方側に入り込む。掛合ピン１０がこの他方側に入り込むと前記下端部分２１４におけるこの他方側に向けられた箇所と前記ストレート部２１３に案内されて左右一対の弾性片１１１の他方を弾性変形させながら回動パーツ１４は回動され掛合ピン１０はこのストレート部２１３に摺接した状態で中央カム部２１の上端側に向けて相対的に移動される。
【００３７】
上部案内部２４は、ストレート部２１３の上端とこの上端より下方に位置される最上段の掛合部２１１との間に亘る基準垂直線ｘを跨ぐ傾斜案内部２１５と、ストレート部２１３の上端から上方に抜け外れた掛合ピン１０の突き当たるガイド経路２２の上部レール部２２３とから構成されている。最下段の掛合部２１１に掛合ピン１０を掛合させた支持状態から基準垂直線ｘを挟んだ他方側に掛合ピン１０を入り込ませる位置まで被支持体Ｍを持ち上げ操作させると前記ストレート部２１３によって掛合ピン１０は掛合することなく被支持体Ｍを下降させきることが可能となる。被支持体Ｍが下降させきられると、掛合ピン１０は前記上部レール部２２３に突き当たり、左右一対の弾性片１１１、１１１の他方の弾発によって基準垂直線ｘ上に位置づけられる。この状態から被支持体Ｍを持ち上げ操作すると前記傾斜案内部２１５に案内されて掛合ピン１０は左右一対の弾性片１１１、１１１の一方を弾性変形させるように回動パーツ１４を回動させながらを基準垂直線ｘを挟んだ一方側に案内され、傾斜案内部２１５の下端を乗り越えた位置でのこの弾性片１１１の一方の弾発によって最上段の掛合部２１１に再び掛合される。
【００３８】
これにより、図示の例にあっては、最下段の掛合部２１１に掛合ピン１０を掛合させて被支持体Ｍを支持させた状態から、この掛合を解き、再び最上段の掛合部２１１に掛合ピン１０を掛合させて被支持体Ｍを支持させた状態を作り出すことができる。
【００３９】
また、図示の例にあっては、かかる第二部材２は、前記ガイド経路２２に連通して掛合ピン１０を外方から導入可能とする導入路２５を備えている。
【００４０】
具体的には、ガイド経路２２を構成するリブ状部２２１のうち、前記基準垂直線ｘの他方側に位置されるリブ状部２２１の下端は基板２０の下端で終了しており、このリブ状部２２１の下端と前記下部レール部２２２の下端との間に前記導入路２５が形成されている。これによりこの例にあっては、かかる導入路２５を利用して第二部材２のガイド経路２２内に第一部材１の掛合ピン１０を入れ込ませて両部材１、２を他方の部材に対してスライド移動可能に組み合わせることができるようになっている。
【００４１】
図示の例ではまた、導入路２５の上方であって中央カム部２１の下端部分２１４における基準垂直線ｘを挟んだ他方側に隣り合った箇所となる基板２０に窓穴２６が形成されており、この窓穴２６内に掛合ピン１０を位置させた状態から基準垂直線ｘから側方に外れる向きに掛合ピン１０を移動操作することで、掛合ピン１０を導入路２５から再び抜け出させて第一部材１と第二部材２との組み合わせを解くことができるようになっている。
【図面の簡単な説明】
【００４２】
【図１】支持装置の適用例の分離斜視構成図
【図２】同縦断面要部構成図
【図３】同横断面要部構成図
【図４】第一部材１の側面図
【図５】第二部材２の側面図
【図６】第二部材２の側面図
【図７】支持装置の動作説明図
【図８】支持装置の動作説明図
【図９】支持装置の動作説明図
【符号の説明】
【００４３】
Ｂ  支持体
Ｍ  被支持体
１  第一部材
１０  掛合ピン
１１  保持手段
２  第二部材
２１１  掛合部
２１２  側方案内部
ｘ  基準垂直線
【図１】
2008232194.tif 000003
【図２】
2008232194.tif 000004
【図３】
2008232194.tif 000005
【図４】
2008232194.tif 000006
【図５】
2008232194.tif 000007
【図６】
2008232194.tif 000008
【図７】
2008232194.tif 000009
【図８】
2008232194.tif 000010
【図９】
2008232194.tif 000011